(57)【要約】【課題】所定の用紙でない用紙が含まれていた場合であっても柔軟な処理を実行可能とする画像形成システムを提供する。【解決手段】画像形成システムは、画像形成装置から後処理装置に給紙される用紙の属性を用紙毎に検出する。後処理装置は、指定された枚数の一群の用紙毎に後処理を実行する。コントローラは、後処理の種別毎に、用紙の属性に応じて後処理の許可および禁止を規定した禁則データＤ２１を記憶している。コントローラは、禁則データＤ２１と、検出された用紙の属性とに基づき、指定された後処理が禁止されているか否かを、用紙毎に判断する。コントローラは、指定された後処理が禁止されていると判断した場合、禁止の判断要因となった用紙が一群の用紙のうちの最初の用紙と最後の用紙との間に位置する途中の用紙であるか否かを判断し、かつ当該判断結果に応じた処理を画像形成システムに実行させる。【選択図】図２
2019086730.tif 000002
【特許請求の範囲】
【請求項１】
画像形成システムであって、
画像形成装置と、
複数の種別の後処理のうち、指定された後処理を実行する後処理装置とを備え、
前記画像形成装置は、
前記画像形成装置と前記後処理装置とを制御するコントローラと、
前記画像形成装置から前記後処理装置に給紙される用紙の属性を、前記用紙毎に検出する検出器とを有し、
前記後処理装置は、指定された枚数の一群の用紙毎に後処理を実行し、
前記コントローラは、
前記後処理の種別毎に、前記用紙の属性に応じて前記後処理の許可および禁止を規定した禁則データを記憶しており、
前記複数の後処理のうち、前記後処理装置で実行させる後処理を指定する入力を受け付け、
前記禁則データと、検出された前記用紙の属性とに基づき、指定された前記後処理が禁止されているか否かを、前記用紙毎に判断し、
指定された前記後処理が禁止されていると判断した場合、前記禁止の判断要因となった用紙が前記一群の用紙のうちの最初の用紙と最後の用紙との間に位置する途中の用紙であるか否かを判断し、かつ当該判断結果に応じた処理を前記画像形成システムに実行させる、画像形成システム。
【請求項２】
前記コントローラは、前記判断結果に応じた処理として、前記後処理装置で実行する処理を切り替える、請求項１に記載の画像形成システム。
【請求項３】
前記用紙の属性は、前記用紙の種類、前記用紙の厚さ、および前記用紙の坪量のうちの少なくとも１つである、請求項１または２に記載の画像形成システム。
【請求項４】
前記コントローラは、前記禁止の判断要因となった用紙が、前記最初の用紙、前記途中の用紙、および前記最後の用紙のうちのいずれであるかを判断し、かつ当該判断結果に応じた処理を前記画像形成システムに実行させる、請求項１から３のいずれか１項に記載の画像形成システム。
【請求項５】
第１の排出トレイと、
第２の排出トレイとをさらに備え、
前記コントローラは、指定された前記後処理が禁止されていると判断した場合、前記禁止の判断要因となった用紙が前記最初の用紙であるときには、前記禁止の判断要因となった用紙を前記第１の排出トレイに排出し、かつ、前記一群の用紙のうち、前記禁止の判断要因となった用紙以外の用紙を前記第２の排出トレイに排出する、請求項４に記載の画像形成システム。
【請求項６】
前記コントローラは、指定された前記後処理が禁止されていると判断した場合、前記禁止の判断要因となった用紙が前記途中の用紙であるときには、前記禁止の判断要因となった用紙と前記禁止の判断要因となった用紙以外の用紙とを前記第２の排出トレイに排出する、請求項５に記載の画像形成システム。
【請求項７】
前記コントローラは、指定された前記後処理が禁止されていると判断した場合、前記禁止の判断要因となった用紙が前記途中の用紙であるときには、前記禁止の判断要因となった用紙を前記第１の排出トレイに排出し、かつ前記禁止の判断要因となった用紙以外の用紙を前記第２の排出トレイに排出する、請求項５に記載の画像形成システム。
【請求項８】
前記コントローラは、前記禁止の判断要因となった用紙が前記途中の用紙であるときには、前記後処理の指定を解除する、請求項６または７に記載の画像形成システム。
【請求項９】
前記コントローラは、指定された前記後処理が禁止されていると判断した場合、前記禁止の判断要因となった用紙が前記途中の用紙であるときには、前記禁止の判断要因となった用紙を搬送経路の所定位置に退避させる、請求項４に記載の画像形成システム。
【請求項１０】
前記所定位置は、前記最初の用紙が通過した搬送経路とは異なる搬送経路における位置である、請求項９に記載の画像形成システム。
【請求項１１】
前記コントローラは、指定された前記後処理が禁止されていると判断した場合であっても、前記禁止の判断要因となった用紙が前記最後の用紙であるときには、前記判断にかかわらず前記後処理を実行させる、請求項４に記載の画像形成システム。
【請求項１２】
前記用紙の属性は、前記用紙の厚みまたは前記用紙の坪量であって、
前記検出器は、前記用紙の属性を数値として出力し、
前記コントローラは、
前記数値が第１の閾値よりも大きいことを条件に、指定された前記後処理が禁止されていると判断し、
前記数値が第１の閾値よりも小さいことを条件に、指定された前記後処理が禁止されていないと判断し、
前記数値が、前記第１の閾値よりも小さくかつ第２の閾値よりも大きい場合と、前記第２の閾値よりも小さい場合とで、異なる処理を前記後処理装置に実行させる、請求項１から１１のいずれか１項に記載の画像形成システム。
【請求項１３】
前記画像形成装置は、表示部をさらに有し、
前記コントローラは、指定された前記後処理が禁止されていないと判断した場合、前記数値が前記第１の閾値よりも小さくかつ前記第２の閾値よりも大きいことを条件に、予め定められた警告を表示部に表示させる、請求項１２に記載の画像形成システム。
【請求項１４】
前記コントローラは、指定された前記後処理が禁止されていないと判断した場合、前記数値が前記第１の閾値よりも小さくかつ第２の閾値よりも大きいと判断された用紙が前記途中の用紙であるときには、前記後処理の指定を解除する、請求項１２または１３に記載の画像形成システム。
【請求項１５】
前記コントローラは、予め定められた動作モードが設定されていることを条件に、前記禁止の判断要因となった用紙が、前記最初の用紙、前記最後の用紙、前記途中の用紙のいずれであるかを判断し、かつ当該判断結果に応じた処理を前記画像形成システムに実行させる、請求項４から１１のいずれか１項に記載の画像形成システム。
【請求項１６】
前記コントローラは、
指定された前記後処理毎に、前記後処理を施すことを許容する用紙の最大枚数を記憶しており、
指定された前記後処理が禁止されていないと判断した場合であっても、前記数値が前記第１の閾値よりも小さくかつ前記第２の閾値よりも大きいときには、前記一群の用紙の枚数と、前記最大枚数とに基づいて、指定された前記後処理を実行するか否かを判断する、請求項１３に記載の画像形成システム。
【請求項１７】
前記コントローラは、前記最大枚数を前記後処理装置に対応付けられた数値として記憶している、請求項１６に記載の画像形成システム。
【請求項１８】
前記コントローラは、指定された前記後処理が禁止されていると判断した場合、前記禁止の判断要因となった用紙に対して画像形成をせずに、前記後処理装置から排出させる、請求項１から１７のいずれか１項に記載の画像形成システム。
【請求項１９】
前記後処理装置は、前記後処理として、シフト、パンチ、綴じ、および折りの少なくとも１つを実行する、請求項１から１８のいずれか１項に記載の画像形成システム。
【請求項２０】
前記コントローラは、指定された前記後処理が禁止されていると判断した場合、前記後処理が実行不可能であることを、前記画像形成装置に報知させる、請求項１に記載の画像形成システム。
【請求項２１】
前記コントローラは、指定された前記後処理が禁止されていないと判断した場合、前記数値が前記第１の閾値よりも小さくかつ前記第２の閾値よりも大きいことを条件に、前記後処理の実行の要否を選択させるための入力を受け付ける、請求項１３に記載の画像形成システム。
【請求項２２】
画像形成装置と、複数の種別の後処理のうち、指定された後処理を指定された枚数の一群の用紙毎に実行する後処理装置とを備えた画像形成システムにおいて実行される制御方法であって、
前記画像形成装置から前記後処理装置に給紙される用紙の属性を、前記用紙毎に検出するステップと、
前記複数の後処理のうち、前記後処理装置で実行させる後処理を指定する入力を受け付けるステップと、
前記後処理の種別毎に、前記用紙の属性に応じて前記後処理の許可および禁止を規定した禁則データと、検出された前記用紙の属性とに基づき、指定された前記後処理が禁止されているか否かを、前記用紙毎に判断するステップと、
指定された前記後処理が禁止されていると判断した場合、前記禁止の判断要因となった用紙が前記一群の用紙のうちの最初の用紙と最後の用紙との間に位置する途中の用紙であるか否かを判断し、かつ当該判断結果に応じた処理を前記画像形成システムに実行させるステップとを備える、制御方法。
【発明の詳細な説明】
【技術分野】
【０００１】
本発明は、後処理装置を備える画像形成システム、および画像形成システムにおける制御方法に関する。
【背景技術】
【０００２】
従来、後処理装置と画像形成装置とを備えた画像形成システムが知られている。
このような画像形成システムでは、画像を転写する用紙（シート）として所定の厚さまたは所定の坪量以上の厚紙が選択されている場合に、ステープル処理等の後処理が選択されたときには、印刷のジョブを開始しないように設定されている。
【０００３】
また、後処理の対象となる用紙束（たとえばステープル処理によって１つにまとめられる一群の用紙）中に所定のサイズとは異なる用紙（以下、「エラー用紙」とも称する）が混在していた場合、当該一群の用紙は出力物として利用されないことが多い。そのため、このような場合に後処理を停止する画像形成システムも知られている。
【０００４】
たとえば、特開２０１４−１１８２３６号公報（特許文献１）に開示された画像形成システムは、綴じ対象の用紙束（シート束）に含まれるシートの種類、厚さおよび坪量の少なくとも一つのシート情報に基づいて、綴じ手段による綴じ処理を禁止するか否かを制御する。詳しくは、この画像形成システムは、シート情報が互いに異なる複数のシートが用紙束に含まれている場合に、綴じ処理を禁止する。
【０００５】
また、特開２０１４−８９４８６号公報（特許文献２）に開示された画像形成システム（詳しくは、シートバッファ装置）は、後処理部へ搬送すべき用紙を滞留させ、後続の用紙と重ね合わせるバッファ処理を行うバッファ手段と、バッファ手段でバッファ処理を禁止された用紙であるか否かを判定する判定手段と、滞留させようとする用紙の後続の用紙がバッファ処理を禁止された用紙であると判定手段にて判定された場合、滞留させようとする用紙を滞留させることを禁止させる制御手段とを有する。
【先行技術文献】
【特許文献】
【０００６】
【特許文献１】特開２０１４−１１８２３６号公報
【特許文献２】特開２０１４−８９４８６号公報
【特許文献３】特開２００７−１７６６９５号公報
【発明の概要】
【発明が解決しようとする課題】
【０００７】
従来の画像形成システムは、所定の用紙ではないと判断すると、後処理を即時解除する構成である。それゆえ、このような用紙が含まれた綴じ対象の用紙束の後続の用紙束に対しても、後処理が実行されることはない。したがって、ユーザの求める出力物を得ることができない。その結果、ユーザは、再度の後処理設定等を行わざるを得ない。
【０００８】
本発明は、上記の問題点に鑑みなされたものであって、その目的は、所定の用紙でない用紙が含まれていた場合であっても柔軟な処理を実行可能とする画像形成システムおよび制御方法を提供することにある。
【課題を解決するための手段】
【０００９】
本発明のある局面に従うと、画像形成システムは、画像形成装置と、複数の種別の後処理のうち、指定された後処理を実行する後処理装置とを備える。画像形成装置は、画像形成装置と後処理装置とを制御するコントローラと、画像形成装置から後処理装置に給紙される用紙の属性を、用紙毎に検出する検出器とを有する。後処理装置は、指定された枚数の一群の用紙毎に後処理を実行する。コントローラは、後処理の種別毎に、用紙の属性に応じて後処理の許可および禁止を規定した禁則データを記憶している。コントローラは、複数の後処理のうち、後処理装置で実行させる後処理を指定する入力を受け付ける。コントローラは、禁則データと、検出された用紙の属性とに基づき、指定された後処理が禁止されているか否かを、用紙毎に判断する。コントローラは、指定された後処理が禁止されていると判断した場合、禁止の判断要因となった用紙が一群の用紙のうちの最初の用紙と最後の用紙との間に位置する途中の用紙であるか否かを判断し、かつ当該判断結果に応じた処理を画像形成システムに実行させる。
【００１０】
好ましくは、コントローラは、判断結果に応じた処理として、後処理装置で実行する処理を切り替える。
【００１１】
好ましくは、用紙の属性は、用紙の種類、用紙の厚さ、および用紙の坪量のうちの少なくとも１つである。
【００１２】
好ましくは、コントローラは、禁止の判断要因となった用紙が、最初の用紙、途中の用紙、および最後の用紙のうちのいずれであるかを判断し、かつ当該判断結果に応じた処理を画像形成システムに実行させる。
【００１３】
好ましくは、画像形成システムは、第１の排出トレイと、第２の排出トレイとをさらに備える。コントローラは、指定された後処理が禁止されていると判断した場合、禁止の判断要因となった用紙が最初の用紙であるときには、禁止の判断要因となった用紙を第１の排出トレイに排出し、かつ、一群の用紙のうち、禁止の判断要因となった用紙以外の用紙を第２の排出トレイに排出する。
【００１４】
好ましくは、コントローラは、指定された後処理が禁止されていると判断した場合、禁止の判断要因となった用紙が途中の用紙であるときには、禁止の判断要因となった用紙と禁止の判断要因となった用紙以外の用紙とを第２の排出トレイに排出する。
【００１５】
好ましくは、コントローラは、指定された後処理が禁止されていると判断した場合、禁止の判断要因となった用紙が途中の用紙であるときには、禁止の判断要因となった用紙を第１の排出トレイに排出し、かつ禁止の判断要因となった用紙以外の用紙を第２の排出トレイに排出する。
【００１６】
好ましくは、コントローラは、禁止の判断要因となった用紙が途中の用紙であるときには、後処理の指定を解除する。
【００１７】
好ましくは、コントローラは、指定された後処理が禁止されていると判断した場合、禁止の判断要因となった用紙が途中の用紙であるときには、禁止の判断要因となった用紙を搬送経路の所定位置に退避させる。
【００１８】
好ましくは、所定位置は、最初の用紙が通過した搬送経路とは異なる搬送経路における位置である。
【００１９】
好ましくは、コントローラは、指定された後処理が禁止されていると判断した場合であっても、禁止の判断要因となった用紙が最後の用紙であるときには、判断にかかわらず後処理を実行させる。
【００２０】
好ましくは、用紙の属性は、用紙の厚みまたは用紙の坪量である。検出器は、用紙の属性を数値として出力する。コントローラは、数値が第１の閾値よりも大きいことを条件に、指定された後処理が禁止されていると判断する。コントローラは、数値が第１の閾値よりも小さいことを条件に、指定された後処理が禁止されていないと判断する。コントローラは、数値が、第１の閾値よりも小さくかつ第２の閾値よりも大きい場合と、第２の閾値よりも小さい場合とで、異なる処理を後処理装置に実行させる。
【００２１】
好ましくは、画像形成装置は、表示部をさらに有する。コントローラは、指定された後処理が禁止されていないと判断した場合、数値が第１の閾値よりも小さくかつ第２の閾値よりも大きいことを条件に、予め定められた警告を表示部に表示させる。
【００２２】
好ましくは、コントローラは、指定された後処理が禁止されていないと判断した場合、数値が第１の閾値よりも小さくかつ第２の閾値よりも大きいと判断された用紙が途中の用紙であるときには、後処理の指定を解除する。
【００２３】
好ましくは、コントローラは、予め定められた動作モードが設定されていることを条件に、禁止の判断要因となった用紙が、最初の用紙、最後の用紙、途中の用紙のいずれであるかを判断し、かつ当該判断結果に応じた処理を画像形成システムに実行させる。
【００２４】
好ましくは、コントローラは、指定された後処理毎に、後処理を施すことを許容する用紙の最大枚数を記憶している。コントローラは、指定された後処理が禁止されていないと判断した場合であっても、数値が第１の閾値よりも小さくかつ第２の閾値よりも大きいときには、一群の用紙の枚数と、最大枚数とに基づいて、指定された後処理を実行するか否かを判断する。
【００２５】
好ましくは、コントローラは、最大枚数を後処理装置に対応付けられた数値として記憶している。
【００２６】
好ましくは、コントローラは、指定された後処理が禁止されていると判断した場合、禁止の判断要因となった用紙に対して画像形成をせずに、後処理装置から排出させる。
【００２７】
好ましくは、後処理装置は、後処理として、シフト、パンチ、綴じ、および折りの少なくとも１つを実行する。
【００２８】
好ましくは、コントローラは、指定された後処理が禁止されていると判断した場合、後処理が実行不可能であることを、画像形成装置に報知させる。
【００２９】
好ましくは、コントローラは、指定された後処理が禁止されていないと判断した場合、数値が第１の閾値よりも小さくかつ第２の閾値よりも大きいことを条件に、後処理の実行の要否を選択させるための入力を受け付ける。
【００３０】
本発明の他の局面に従うと、制御方法は、画像形成装置と、複数の種別の後処理のうち、指定された後処理を指定された枚数の一群の用紙毎に実行する後処理装置とを備えた画像形成システムにおいて実行される。制御方法は、画像形成装置から後処理装置に給紙される用紙の属性を、用紙毎に検出するステップと、複数の後処理のうち、後処理装置で実行させる後処理を指定する入力を受け付けるステップと、後処理の種別毎に、用紙の属性に応じて後処理の許可および禁止を規定した禁則データと、検出された用紙の属性とに基づき、指定された後処理が禁止されているか否かを、用紙毎に判断するステップと、指定された後処理が禁止されていると判断した場合、禁止の判断要因となった用紙が一群の用紙のうちの最初の用紙と最後の用紙との間に位置する途中の用紙であるか否かを判断し、かつ当該判断結果に応じた処理を画像形成システムに実行させるステップとを備える。
【発明の効果】
【００３１】
上記の発明によれば、所定の用紙ではない用紙が含まれていた場合であっても柔軟な処理が実行可能となる。
【図面の簡単な説明】
【００３２】
【図１】画像形成システムの内部構成を示す概略図である。
【図２】画像形成システムで実行される処理の概要を説明するための図である。
【図３】画像形成装置のハードウェア構成を説明するためのブロック図である。
【図４】コントローラの機能的構成を表したブロック図である。
【図５】画像形成システムで実行される処理の流れを説明するためのフロー図である。
【図６】図５のステップＳ７でＮＯと判断された後の処理を説明するためのフロー図である。
【図７】図５のステップＳ５でＮＯと判断された後の処理を説明するためのフロー図である。
【発明を実施するための形態】
【００３３】
実施の形態における画像形成システムについて、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。図面においては、実際の寸法の比率に従って図示しておらず、構造の理解を容易にするために、構造が明確となるように比率を変更して図示している箇所がある。
【００３４】
＜Ａ．システム構成＞
図１は、画像形成システム１０００の内部構成を示す概略図である。図１を参照して、画像形成システム１０００は、画像形成装置１０と、後処理装置２０とを備えている。
【００３５】
（ａ１．画像形成装置１０）
画像形成装置１０は、スキャナー機能、複写機能、プリンタとしての機能、ファクシミリ機能、データ通信機能、およびサーバ機能を備えたＭＦＰ（Ｍｕｌｔｉ  Ｆｕｎｃｔｉｏｎ  Ｐｅｒｉｐｈｅｒａｌ）を含む。画像形成装置１０は、コピージョブ、プリントジョブ、スキャンジョブ、ファクスジョブ、ボックスジョブを実行することができる。
【００３６】
画像形成装置１０は、画像形成部１１と、原稿読取部１２と、自動原稿搬送部１３と、給紙部１４と、搬送経路１５と、検出器１６と、反転搬送経路１７と、排紙ローラ１８とを備えている。画像形成装置１０は、画像形成装置１０と後処理装置２０とを制御するコントローラ３１をさらに備えている。なお、画像形成装置１０は、いわゆるタンデム方式のカラープリンタである。画像形成装置１０は、印刷設定に基づいて画像形成を実行する。
【００３７】
自動原稿搬送部１３は、原稿台上に載置された原稿を、原稿読取部の読取位置に自動的に搬送する。
【００３８】
画像読取部１２は、自動原稿搬送部１３により搬送された原稿の画像を読み取り、読取データを生成する。
【００３９】
給紙部１４は、給紙ローラ１４１と、給紙カセット１４２とを有する。給紙カセット１４２には、用紙Ｐが収容される。給紙ローラ１４１は、用紙Ｐを搬送経路１５に沿って上方へ送る。
【００４０】
搬送経路１５は、片面印刷および両面印刷のときに使用される。反転搬送経路１７は、両面印刷のときに使用される。詳細については後述するが、本例では、片面印刷のときにも反転搬送経路１７を用いる場合がある。
【００４１】
画像形成部１１は、原稿読取部１２が生成した読取データ、または、データＩＦ（Ｉｎｔｅｒｆａｃｅ）部が取得した印刷データに基づいて、給紙部１４により供給される用紙Ｐに対し画像形成を行なう。
【００４２】
画像形成部１１は、中間転写ベルト１０１と、レジストローラ１０２，１０３と、イエローの画像形成部１０４Ｙと、マゼンタの画像形成部１０４Ｍと、シアンの画像形成部１０４Ｃ，ブラックの画像形成部１０４Ｋと、画像濃度センサ１０５と、１次転写装置１１１と、２次転写装置１１５と、定着装置１２０とを有している。定着装置１２０は、加熱ローラ１２１と、加圧ローラ１２２とを有している。
【００４３】
中間転写ベルト１０１は、無端状ベルト部材である。中間転写ベルト１０１は、両端部がレジストローラ１０２，１０３によって支持されている。中間転写ベルト１０１の下方には、各色の画像形成部１０４Ｙ，１０４Ｍ，１０４Ｃ，１０４Ｋおよび画像濃度センサ１０５が配置されている。
【００４４】
画像形成部１０４Ｙは、感光体ドラム１０６と、帯電装置１０７と、露光装置１０８と、現像装置１０９と、クリーナ装置１１０とを有している。帯電装置１０７と、露光装置１０８と、現像装置１０９と、クリーナ装置１１０とは、感光体ドラム１０６の周囲に配置されている。なお、画像形成部１０４Ｍ，１０４Ｃ，１０４Ｋも、画像形成部１０４Ｙと同様のハードウェア構成を有する。
【００４５】
１次転写装置１１１は、中間転写ベルト１０１を挟んで感光体ドラム１０６に対向する位置に配置されている。２次転写装置１１５は、搬送経路１５を挟んで、レジストローラ１０３と対面する位置に配置されている。搬送経路１５と２次転写装置１１５との間には、検出器１６が配置されている。
【００４６】
検出器１６は、用紙Ｐの属性（紙種等の特性）を検出する。検出器１６は、たとえば、用紙の属性を数値として出力する。以下では、検出器１６は、用紙Ｐの坪量を検出する場合を例に挙げて説明する。
【００４７】
具体的には、検出器１６は、用紙Ｐに光を照射する発光部と、用紙Ｐにて反射した反射光を受光する受光部とを有する。検出器１６は、この反射光の電圧値から、紙の坪量を判定する。
【００４８】
なお、検出器１６の代わりに、用紙Ｐの厚さを検出する変位センサ、用紙Ｐの含水量を検出する静電容量センサ、用紙Ｐの表面性を撮像するカメラまたは超音波センサを用いて、用紙Ｐの属性（厚み、含水量、表面性）を検出してもよい。
【００４９】
排紙ローラ１８は、定着装置１２０より搬送経路１５のさらに下流側に配置されている。排紙ローラ１８から排出された用紙Ｐは、後処理装置２０の水平搬送部２９０に送られる。
【００５０】
次に、画像形成装置１０の動作について説明する。画像形成装置１０は、画像形成の指示を受けると、その画像信号から各色の画像データを生成する。生成された各色の画像データは、対応する画像形成部１０４Ｙ，１０４Ｍ，１０４Ｃ，１０４Ｋにそれぞれ送出される。各色の画像形成部１０４Ｙ，１０４Ｍ，１０４Ｃ，１０４Ｋは、画像データに基づいて、それぞれの感光体ドラム１０６を帯電および露光して静電潜像を形成する。さらに、画像形成部１０４Ｙ，１０４Ｍ，１０４Ｃ，１０４Ｋは、形成された静電潜像を現像してトナー像を形成する。
【００５１】
形成されたトナー像は、順次、各１次転写装置１１１によって中間転写ベルト１０１に転写され，重ね合わせられる。これと同時に、用紙Ｐは，給紙部１４から搬送経路１５に沿って上方へ送られ、中間転写ベルト１０１に重ね合わせられたトナー像と同期して、２次転写装置１１５によって用紙Ｐに転写される。トナー像を担持した用紙Ｐは，さらに搬送されて定着装置１２０に至り，定着装置１２０によって加熱されるとともに加圧される。これによりトナー像が用紙Ｐに定着される。トナー像が定着された用紙Ｐは、排紙ローラ１８によって水平搬送部２９０に排出される。
【００５２】
なお、定着装置１２０により、おもて面にトナー画像が定着された用紙Ｐは、片面印刷時にはそのまま排紙される。両面印刷時には、反転搬送経路１７を経由して再度２次転写装置１１５に搬送され、うら面への画像形成が行なわれた後、排紙される。
【００５３】
（ａ２．後処理装置２０）
後処理装置２０は、本体部２００と、水平搬送部２９０とを備える。本体部２００は、主として、レジストローラ２１１と、中間ローラ２１２と、収容ローラ２１３と、メイントレイ排出ローラ２１４と、サブトレイ排出ローラ２１５と、パンチ装置２２０と、平綴じ処理部２５０と、中綴じ処理部２６０と、サブトレイ２７１と、メイントレイ２７２と、下部トレイ２７３とを備える。
【００５４】
水平搬送部２９０は、複数の水平搬送ローラ２９１を有する。水平搬送部２９０は、これらの水平搬送ローラ２９１によって、排紙ローラ１８から排出された用紙Ｐを後処理装置２０の本体部２００に送る。
【００５５】
本体部２００は、指定された枚数の一群の用紙（以下、「用紙束Ｂ」とも称する）毎に後処理を実行する。たとえば、本体部２００は、水平搬送部２９０より送出される一群の用紙に対して、後処理として、パンチ（穿孔）処理、仕分け処理、綴じ処理（ステープル処理）、折り処理などを実行する。綴じ処理には、平綴じ処理と、中綴じ処理とがある。
【００５６】
一例として、ユーザが６枚の用紙を１０部生成する指示を画像形成装置１０に入力した場合において平綴じ処理の設定がなされているときには、本体部２００は、６枚の用紙Ｐ（指定された枚数の一群の用紙）を針によって１部にまとめる処理を１０回繰り返すことにより、１０部の書類を生成する。
【００５７】
なお、本体部２００では、ユーザ設定に応じて、これらの処理を組みわせて実行可能である。たとえば、本体部２００は、用紙束Ｂに対して、折り処理と綴じ処理（詳しくは、中綴じ処理）とを実行可能である。
【００５８】
平綴じ処理部２５０は、用紙束Ｂに対して平綴じ処理を行う。平綴じ処理部２５０は、平綴じステープラ２５１と、メイン処理用トレイ２５２とを有する。
【００５９】
平綴じ処理部２５０は、レジストローラ２１１、中間ローラ２１２、収容ローラ２１３を駆動し、水平搬送部２９０より送出される用紙Ｐを所定の速度でメイントレイ２７２の方向に搬送する。平綴じ処理部２５０は、用紙束Ｂに対して平綴じ動作を完了すると、メイントレイ排出ローラ２１４を駆動し、平綴じ処理された用紙束Ｂをメイントレイ２７２に排出する。
【００６０】
中綴じ処理部２６０は、用紙束Ｂに対して中綴じ処理を行う。中綴じ処理部２６０は、中綴じステープラ２６１と、折りローラ２６２と、サドル処理用トレイ２６３とを有する。
【００６１】
中綴じ処理部２６０への用紙Ｐの搬送は、水平搬送部２９０より本体部２００に１枚ずつ送出された用紙Ｐをスイッチバックさせ、用紙Ｐをサドル処理用トレイ２６３にスタックする。中綴じ処理部２６０は、用紙束Ｂの最後の用紙のスタック動作および整合動作を完了すると、用紙束Ｂを中綴じ位置に移動する。中綴じ処理部２６０は、中綴じ位置への移動が完了すると、中綴じステープラ２６１を駆動し、用紙束Ｂの所定位置に綴じ動作を行う。
【００６２】
＜Ｂ．処理の概要＞
図２は、画像形成システム１０００で実行される処理の概要を説明するための図である。
【００６３】
図２を参照して、画像形成装置１０に含まれているコントローラ３１は、禁則データＤ２１と、処理内容規定データＤ２２とを記憶している。コントローラ３１は、これらのデータＤ２１，Ｄ２２を参照して、画像形成装置１０の動作および後処理装置２０の動作を制御する。
【００６４】
禁則データＤ２１は、後処理の種別毎に、用紙の属性に応じて後処理の許可および禁止を規定している。禁則データＤ２１では、後処理の種別として、シフト処理と、パンチ処理と、綴じ処理（平綴じおよび中綴じ）と、折り処理とが規定されている。なお、これは一例であって、禁則データＤ２１において規定される後処理の種別は、４つに限定されるものではない。
【００６５】
ところで、画像形成装置１０においては、用紙の坪量を、複数の区分で管理している。検出器１６による検出結果に応じて、コントローラ３１は、用紙を、薄い順から、「薄紙」、「普通紙」、「厚紙＃１」、「厚紙＃１＋」、「厚紙＃２」、「厚紙＃３」、「厚紙＃４」に区分けする。
【００６６】
たとえば、本例では、「薄紙」は、坪量が５２ｇ／ｍ２以上かつ５９ｇ／ｍ２以下の用紙として規定されている。また、「普通紙」は、坪量が６０ｇ／ｍ２以上かつ９０ｇ／ｍ２以下の用紙として規定されている。同様に、「厚紙＃１」、「厚紙＃１＋」、「厚紙＃２」、「厚紙＃３」、「厚紙＃４」は、それぞれ、坪量が９１ｇ／ｍ２以上かつ１２０ｇ／ｍ２以下の用紙、坪量が１２１ｇ／ｍ２以上かつ１５７ｇ／ｍ２以下の用紙、坪量が１５８ｇ／ｍ２以上かつ２０９ｇ／ｍ２以下の用紙、坪量が２１０ｇ／ｍ２以上かつ２５６ｇ／ｍ２以下の用紙、坪量が２５７ｇ／ｍ２以上かつ３００ｇ／ｍ２以下の用紙として規定されている。
【００６７】
禁則データＤ２１では、用紙Ｐの坪量に基づき、用紙の属性が２つに分類されている。１つ目の属性Ｚ１は、用紙の坪量が１５７ｇ／ｍ２以下であり、２つ目の属性Ｚ２は、用紙の坪量が１５８ｇ／ｍ２以上である。
【００６８】
坪量が１５７ｇ／ｍ２以下の用紙としては、薄紙、普通紙、厚紙＃１、厚紙＃１＋が挙げられる。坪量が１５８ｇ／ｍ２以上の用紙としては、厚紙＃２、厚紙＃３、厚紙＃４が挙げられる。
【００６９】
禁則データＤ２１においては、属性Ｚ１の用紙の場合、４つの種別（全ての種別）の後処理の実行が許可される。禁則データＤ２１においては、属性Ｚ２の用紙の場合、シフト処理とパンチ処理との２つの後処理の実行が許可されるが、綴じ処理と折り処理との２つの処理については実行が原則禁止される。すなわち、ユーザが、綴じ処理等を設定する入力を行っていたとしても、用紙の属性が属性Ｚ２である場合には、用紙束Ｂに対して綴じ処理等の後処理を原則許可しない。なお、例外については後述する。
【００７０】
コントローラ３１は、綴じ処理または折り処理が設定された状態で、属性Ｚ２の用紙が検出されると、属性Ｚ２の用紙の位置を判断する。詳しくは、コントローラ３１は、属性Ｚ２の用紙が用紙束Ｂ（一群の用紙）における最初の用紙、途中の用紙、および最後の用紙のいずれであるかを判断する。
【００７１】
コントローラ３１は、処理内容規定データＤ２２を参照し、画像形成装置１０または後処理装置２０に、属性Ｚ２の用紙の位置に応じた処理を実行する。たとえば、コントローラ３１は、用紙の位置が用紙束Ｂの最初である場合には、処理Ｑ１を実行する。また、コントローラ３１は、用紙の位置が用紙束Ｂの途中（図２の場合、２枚目から５枚目）である場合には、処理Ｑ２を実行する。コントローラ３１は、用紙の位置が用紙束Ｂの最後（図２の場合、６枚目）である場合には、処理Ｑ３を実行する。
【００７２】
このような構成によれば、処理Ｑ１、Ｑ２，Ｑ３の設定内容次第で、一群の用紙において属性Ｚ２の用紙が含まれていた場合であっても柔軟な処理を実行することが可能となる。なお、処理Ｑ１，Ｑ２，Ｑ３の具体例については、後述する。
【００７３】
また、以下では、説明の便宜上、ユーザによって選択される後処理のモードとして、平綴じ処理が設定されている場合を例に挙げて説明する。なお、ユーザによって指定された枚数の一群の用紙（用紙束Ｂ）毎に平綴じ処理が実行されるものとする。
【００７４】
＜Ｃ．ハードウェア構成＞
図３は、画像形成装置１０のハードウェア構成を説明するためのブロック図である。
【００７５】
図３を参照して、画像形成装置１０は、少なくとも、コントローラ３１と、操作パネル３２と、検出器１６とを備えている。
【００７６】
操作パネル３２は、タッチスクリーン３２０を含んでいる。タッチスクリーン３２０は、ディスプレイ３２２と、ディスプレイ３２２に重畳して配置されるタッチパネル３２１とで構成される。
【００７７】
後処理の設定は、たとえば、タッチスクリーン３２０を用いてなされる。ユーザが所望する後処理の項目（オブジェクト画像）をユーザが選択することにより、コントローラ３１において、当該後処理の設定がなされる。コントローラ３１においては、たとえば平綴じ処理の設定がなされる。
【００７８】
コントローラ３１は、プログラムを実行するＣＰＵ（Central Processing Unit）３１１と、データを不揮発的に格納するＲＯＭ（Read Only Memory）３１２と、データを揮発的に格納するＲＡＭ（Random Access Memory）３１３と、フラッシュメモリ３１４と、通信ＩＦ３１５とを有する。コントローラ３１は、通信ＩＦ３１５によって、検出器１６と、操作パネル３２と、後処理装置２０と通信可能となっている。
【００７９】
フラッシュメモリ３１４は、不揮発性の半導体メモリである。フラッシュメモリ３１４は、ＣＰＵ３１１が実行するオペレーティングシステムおよび各種のプログラム、各種のコンテンツおよびデータを格納している。また、フラッシュメモリ３１４は、画像形成装置１０が生成したデータ、画像形成装置１０の外部装置から取得したデータ等の各種データを揮発的に格納する。
【００８０】
コントローラ３１は、検出器１６により検出結果に基づき、用紙が、「薄紙」、「普通紙」、「厚紙＃１」、「厚紙＃１＋」、「厚紙＃２」、「厚紙＃３」、および「厚紙＃４」のいずれであるかを判断する。さらに、コントローラ３１は、用紙の属性が属性Ｚ１および属性Ｚ２のいずれであるかを判断する。
【００８１】
コントローラ３１は、ある局面において、後処理装置２０に属性の判定結果に基づいた処理を実行させる。
【００８２】
＜Ｄ．機能的構成＞
図４は、コントローラ３１の機能的構成を表したブロック図である。
【００８３】
図４を参照して、コントローラ３１は、入力受付部３５１と、判断部３５２と、記憶部３５３と、指令部３５４と、表示制御部３５５とを備える。
【００８４】
入力受付部３５１は、操作パネル３２に対して行われたユーザ操作に基づく入力を受け付ける。当該入力の一例として、入力受付部３５１は、複数の後処理のうち、後処理装置２０で実行させる後処理を指定する入力を受け付ける。また、入力受付部３５１は、操作パネル３２を介して、印刷部数の指定を受け付ける。
【００８５】
記憶部３５３には、禁則データＤ２１（図２参照）が予め記憶されている。
判断部３５２は、入力受付部３５１から、指定された後処理を表す情報（種別情報）を受け取る。判断部３５２は、検出器１６から、用紙Ｐ毎に、用紙の属性の一例として、本例では用紙Ｐの坪量の情報を受け取る。
【００８６】
さらに、判断部３５２は、禁則データＤ２１と、検出された坪量とに基づき、指定された後処理が禁止されているか否かを、用紙Ｐ毎に判断する。本例の場合、判断部３５２は、禁則データＤ２１を参照して、用紙束Ｂに属性Ｚ２の用紙Ｐが含まれていると判断した場合、平綴じ処理を原則禁止する。
【００８７】
判断部３５２は、指定された後処理が禁止されていると判断した場合、禁止の判断要因となった用紙Ｐが、用紙束Ｂ（一群の用紙）のうちの最初の用紙、途中の用紙、および最後の用紙のいずれの用紙であるか否かを判断する。
【００８８】
なお、コントローラ３１は、各用紙Ｐが、用紙束Ｂにおける、最初の用紙、途中の用紙、および最後の用紙のいずれであるかを判断する機能を有している。たとえば、上述したように、ユーザが６枚の用紙を１０部生成する指示を画像形成装置１０に入力した場合、コントローラ３１は、１部毎に、各用紙Ｐが６枚のうちの最初の用紙、途中の用紙、および最後の用紙のいずれであるかを判断する機能を有している。この機能を用いて、判断部３５２は、上述したように、禁止の判断要因となった用紙Ｐが、用紙束Ｂのうちの最初の用紙、途中の用紙、および最後の用紙のいずれの用紙であるか否かを判断する。
【００８９】
指令部３５４は、判断部３５２によってなされた判断結果に応じた処理（図２における処理Ｑ１，Ｑ２，Ｑ３）を画像形成システム１０００に実行させる。ある局面において、指令部３５４は、判断結果に応じた処理を画像形成装置１０に実行させる。また、別の局面においては、指令部３５４は、判断結果に応じた処理として、後処理装置２０で実行する処理を切り替える。
【００９０】
また、指令部３５４は、判断部３５２によって後処理が禁止されていると判断された場合、表示制御部３５５に所定の指令を送る。表示制御部３５５は、当該指令を受け付けると、操作パネル３２のディスプレイ３２２に警告表示を行う。
【００９１】
以下では、図５〜図７に示したフロー図を利用して、処理の内容をより具体的に説明する。
【００９２】
＜Ｅ．制御構造＞
図５は、画像形成システム１０００で実行される処理の流れを説明するためのフロー図である。なお、上述したように、ユーザによって平綴じ処理が設定されている場合を例に挙げて説明する。
【００９３】
図５を参照して、ステップＳ１において、コントローラ３１は、操作パネル３２または他の通信機器から、ジョブ情報を取得する。ジョブ情報には、ページ数、印刷部数、後処理の指定等の各種の情報が含まれる。ステップＳ３において、コントローラ３１は、指定された部数の印刷が完了したか否かを判断する。
【００９４】
コントローラ３１は、指定された部数の印刷が完了したと判断した場合（ステップＳ３においてＹＥＳ）、一連の処理を終了する。コントローラ３１は、指定された部数の印刷が完了していないと判断した場合（ステップＳ３においてＮＯ）、ステップＳ４において、検出器１６から画像形成の対象となる１枚の用紙Ｐの坪量の情報を取得する。
【００９５】
ステップＳ５において、コントローラ３１は、坪量が閾値Ｔｈ１以上か否かを判断する。この処理は、図２の例においては、用紙Ｐの属性が属性Ｚ２であるか否かを判断することに対応する。
【００９６】
コントローラ３１は、坪量が閾値Ｔｈ１以上であると判断された場合（ステップＳ５においてＹＥＳ）、ステップＳ６において、禁則データＤ２１を参照して、平綴じ処理の禁止設定を行う。図２の例の場合においては、閾値Ｔｈ１は「１５８ｇ／ｍ２」となる。
【００９７】
コントローラ３１は、坪量が閾値Ｔｈ１未満であると判断した場合（ステップＳ５においてＮＯ）、処理を図７に示すステップＳ２０１に進める。図７の処理については、後述する。
【００９８】
ステップＳ７において、コントローラ３１は、閾値Ｔｈ１以上の坪量の用紙Ｐが、用紙束Ｂの最初の用紙であるか否かを判断する。コントローラ３１は、最初の用紙でないと判断すると（ステップＳ７においてＮＯ）、処理を図６のステップＳ１０１に進める。図６の処理ついては、後述する。コントローラ３１は、最初の用紙であると判断すると（ステップＳ７においてＹＥＳ）、ステップＳ８において、当該用紙Ｐ（つまり、最初の用紙）を排出するトレイを、デフォルトのトレイから別のトレイに切り替える。具体的には、コントローラ３１は、排出トレイをメイントレイ２７２からサブトレイ２７１に切り替える。
【００９９】
ステップＳ９において、コントローラ３１は、操作パネル３２のディスプレイ３２２に警告表示を行う。たとえば、コントローラ３１は、用紙Ｐが印刷モードには合致しない旨をディスプレイ３２２に表示する。警告表示は、たとえば、ユーザにエラー紙が排出されたこと、および用紙の入れ替えを促すメッセージとすることが好適である。
【０１００】
ステップＳ１０において、コントローラ３１は、上記最初の用紙Ｐに対して転写処理および搬送処理を行う。ステップＳ１１において、コントローラ３１は、当該最初の用紙をサブトレイ２７１に排出する。その後、コントローラ３１は、処理をステップＳ３に進める。
【０１０１】
以上のように、コントローラ３１は、指定された後処理（この場合、平綴じ処理）が禁止されていると判断した場合、禁止の判断要因となった用紙Ｐが用紙束Ｂの最初の用紙であるときには、禁止の判断要因となった用紙Ｐをサブトレイ２７１に排出する。なお、属性Ｚ２の用紙Ｐの排出トレイをメイントレイ２７２からサブトレイ２７１に切り替える処理が、図２の例における処理Ｑ１に対応する。
【０１０２】
上記のようにステップＳ７においてＹＥＳと判断された場合、後処理の禁止の判断要因となった用紙（坪量が閾値Ｔｈ１以上の用紙）を含む用紙束Ｂに対しては、平綴じ処理は実行されない。また、当該用紙束Ｂの後続の用紙束Ｂに対する平綴じ処理を一律に禁止しないようにするため、コントローラ３１は、平綴じ処理自体の設定は解除しない。
【０１０３】
また、ステップＳ８において排出トレイをメイントレイ２７２からサブトレイ２７１に切り替える理由は以下のとおりである。用紙Ｐは、用紙束（部）の先頭であるため、当該用紙Ｐの後続の用紙Ｐは後処理が禁止されないと判定されない可能性がある。このため、上記のように、後処理の設定はキャンセルさせずジョブを継続する。しかしながら、当該用紙Ｐを平綴じ処理部２５０への搬送をすると、後処理禁止と判断された用紙Ｐが用紙束Ｂに混在してしまう。それゆえ、用紙Ｐの排出先のトレイを、平綴じを施すメイントレイ２７２とは異なるサブトレイ２７１に切り替える。
【０１０４】
図６は、図５のステップＳ７でＮＯと判断された後の処理を説明するためのフロー図である。
【０１０５】
図６を参照して、ステップＳ１０１において、コントローラ３１は、閾値Ｔｈ１以上の坪量の用紙Ｐが、用紙束Ｂの途中の用紙であるか否かを判断する。コントローラ３１は、途中の用紙であると判断すると（ステップＳ１０１においてＹＥＳ）、ステップＳ１０２において、平綴じ処理の指定（設定）を解除する。コントローラ３１は、途中の用紙でない（すなわち、最後の用紙）と判断すると（ステップＳ１０１においてＮＯ）、処理をステップＳ１１４に進める。
【０１０６】
ステップＳ１０２の後、コントローラ３１は、ステップＳ１０３において、予め定められた３つの動作モードＭ１，Ｍ２，Ｍ３のうちから動作モードＭ１が選択されているか否かを判断する。これらの動作モードの選択は、典型的には、ユーザによって事前になされていてもよい。あるいは、その場で選択させるようにタッチスクリーン３２０に表示するようにしてもよい。
【０１０７】
ユーザが、用紙束Ｂの途中の用紙であっても用紙束Ｂの間に当該用紙Ｐを排紙させたい場合（すなわち合紙のように使いたい場合）には、動作モードＭ１が選択される。用紙Ｐを用紙束Ｂの途中に排紙させたくない、すなわち用紙束Ｂの中に種類の異なる用紙の混載を防ぎたい場合には、動作モードＭ２が選択される。排出トレイが１つしかない後処理装置の場合には排出トレイの選択余地がないものの、その後のジョブを継続させたい場合には、動作モードＭ３が選択される。
【０１０８】
コントローラ３１は、動作モードＭ１が選択されていると判断した場合（ステップＳ１０３においてＹＥＳ）、ステップＳ１０４において、ディスプレイ３２２に警告表示を行う。ステップＳ１０５において、コントローラ３１は、当該途中の用紙に対して転写処理および搬送処理を行なう。さらに、ステップＳ１０６において、メイントレイ２７２に当該途中の用紙を排出する。
【０１０９】
コントローラ３１は、動作モードＭ１が選択されていないと判断した場合（ステップＳ１０３においてＮＯ）、ステップＳ１０７において、動作モードＭ２が選択されているか否かを判断する。コントローラ３１は、動作モードＭ２が選択されていると判断した場合（ステップＳ１０７においてＹＥＳ）、ステップＳ１０８において、上記途中の用紙の排出トレイを、メイントレイ２７２からサブトレイ２７１に切り替える。
【０１１０】
コントローラ３１は、ステップＳ１０９において、ディスプレイ３２２に警告表示を行う。ステップＳ１１０において、コントローラ３１は、当該途中の用紙に対して転写処理および搬送処理を行なう。さらに、ステップＳ１１１において、サブトレイ２７１に当該途中の用紙を排出する。
【０１１１】
コントローラ３１は、動作モードＭ２が選択されていない（すなわち、動作モードＭ３が選択されている）と判断した場合（ステップＳ１０７においてＮＯ）、ステップＳ１１２において、ディスプレイ３２２に警告表示を行う。
【０１１２】
ステップＳ１１３において、コントローラ３１は、当該途中の用紙（つまり、平綴じ処理の禁止の判断要因となった用紙Ｐ）の退避処理を実行する。具体的には、コントローラ３１は、当該途中の用紙を反転搬送経路１７の所定位置に退避させる。つまり、コントローラ３１は、最初の用紙が通過した搬送経路１５とは異なる搬送経路に当該途中の用紙を退避させる。
【０１１３】
ステップＳ１１４において、コントローラ３１は、後処理の設定を禁止設定から許可設定に変更する。ステップＳ１１５において、コントローラ３１は、ディスプレイ３２２に警告表示を行う。ステップＳ１１６において、コントローラ３１は、当該最後の用紙に対して転写処理および搬送処理を行なう。さらに、ステップＳ１１７において、コントローラ３１は、最初の用紙と途中の用紙とが平綴じ処理部２５０に排出されていることを条件に、平綴じ処理部２５０に当該最後の用紙を排出する。この場合、平綴じ処理部２５０は、当該最後の用紙を含む用紙束Ｂに対して平綴じ処理（ステープル処理）を実行する。
【０１１４】
以上のように、坪量が閾値Ｔｈ１以上の用紙が用紙束Ｂの途中の用紙である場合（つまり、ステップＳ１０１でＹＥＳと判断された場合）においても、坪量が閾値Ｔｈ１以上の用紙（後処理の禁止の判断要因となった用紙）を含む用紙束Ｂに対しては、平綴じ処理は実行されない。
【０１１５】
その一方で、坪量が閾値Ｔｈ１以上の用紙が用紙束Ｂの最後の用紙（最後の用紙のみ）である場合（つまり、ステップＳ１０１でＮＯと判断された場合）にも、坪量が閾値Ｔｈ１以上の用紙（後処理の禁止の判断要因となった用紙）を含む用紙束Ｂに対して、平綴じ処理を実行する。この理由は、「最後の用紙は裏表紙であって、かつ当該用紙に平綴じ処理を施す」ことをユーザが意図している場合が考えられるためである。
【０１１６】
以下、図６に基づいて説明した処理について小括する。
（１）動作モードＭ１が設定された場合（ステップＳ１０３でＹＥＳの場合）に着目すると以下のとおりである。コントローラ３１は、指定された後処理（平綴じ処理）が禁止されていると判断した場合、禁止の判断要因となった用紙Ｐが用紙束Ｂの途中の用紙であるときには、禁止の判断要因となった用紙Ｐと禁止の判断要因となった用紙Ｐ以外の用紙とをメイントレイ２７２に排出する。つまり、コントローラ３１は、後処理装置２０を制御して、用紙束Ｂに含まれる全ての用紙Ｐをメイントレイ２７２に排出する。
【０１１７】
（２）動作モードＭ２が設定された場合（ステップＳ１０７でＹＥＳの場合）に着目すると以下のとおりである。コントローラ３１は、指定された後処理（平綴じ処理）が禁止されていると判断した場合、禁止の判断要因となった用紙Ｐが用紙束Ｂの途中の用紙であるときには、禁止の判断要因となった用紙をサブトレイ２７１に排出し、かつ禁止の判断要因となった用紙以外の用紙をメイントレイ２７２に排出する。
【０１１８】
（３）コントローラ３１は、禁止の判断要因となった用紙Ｐが用紙束Ｂの途中の用紙であるときには、ステップＳ１０２に示したように、後処理（平綴じ処理）の指定（設定）を解除する。
【０１１９】
（４）動作モードＭ３が設定された場合（ステップＳ１０７でＮＯの場合）に着目すると以下のとおりである。コントローラ３１は、指定された後処理（平綴じ処理）が禁止されていると判断した場合、禁止の判断要因となった用紙Ｐが用紙束Ｂの途中の用紙であるときには、禁止の判断要因となった用紙Ｐを反転搬送経路１７の所定位置に退避させる。なお、反転搬送経路１７は、最初の用紙（ただし、坪量が閾値Ｔｈ１未満の用紙）が通過した搬送経路１５とは異なる経路である。
【０１２０】
（５）最後の用紙と判定された場合（ステップＳ１０１でＮＯの場合）に着目すると以下のとおりである。コントローラ３１は、指定された後処理（平綴じ処理）が禁止されていると判断した場合であっても、禁止の判断要因となった用紙Ｐが用紙束Ｂの最後の用紙であるときには、当該判断にかかわらず後処理（平綴じ処理）を実行させる。
【０１２１】
図７は、図５のステップＳ５でＮＯと判断された後の処理を説明するためのフロー図である。
【０１２２】
図７を参照して、ステップＳ２０１において、コントローラ３１は、坪量が閾値Ｔｈ１未満であると判断された用紙Ｐについて、坪量が閾値Ｔｈ２以上であるか否かをさらに判断する。なお、Ｔｈ２はＴｈ１よりも値が小さい。
【０１２３】
図２の例の場合においては、閾値Ｔｈ２を、たとえば「９１ｇ／ｍ２」とすることができる。この場合、属性Ｚ１の用紙において、「厚紙＃１」および「厚紙＃１＋」が閾値Ｔｈ２以上と判定されることになる。
【０１２４】
コントローラ３１は、用紙Ｐの坪量が閾値Ｔｈ２以上であると判断した場合（ステップＳ２０１においてＹＥＳ）、ステップＳ２０２において、当該用紙Ｐが用紙束Ｂの最初の用紙であるか否かを判断する。
【０１２５】
コントローラ３１は、用紙Ｐが最初の用紙であると判断すると（ステップＳ２０２においてＹＥＳ）、ステップＳ２０３において、ディスプレイ３２２に警告表示を行う。ステップＳ２０４において、コントローラ３１は、当該用紙Ｐに対して転写処理および搬送処理を行なう。さらに、ステップＳ２０５において、コントローラ３１は、平綴じ処理部２５０に当該用紙Ｐを排出する。
【０１２６】
コントローラ３１は、用紙Ｐが最初の用紙でないと判断すると（ステップＳ２０２においてＮＯ）、ステップＳ２０６において、用紙Ｐが用紙束Ｂの途中の用紙であるか否かを判断する。コントローラ３１は、途中の用紙であると判断すると（ステップＳ２０６においてＹＥＳ）、ステップＳ２０７において、平綴じ処理の指定（設定）を解除する。
【０１２７】
ステップＳ２０８において、コントローラ３１は、ディスプレイ３２２に警告表示を行う。ステップＳ２０９において、コントローラ３１は、当該用紙Ｐに対して転写処理および搬送処理を行なう。さらに、ステップＳ２１０において、コントローラ３１は、メイントレイ２７２に当該用紙Ｐを排出する。なお、サブトレイ２７１に当該用紙Ｐを排出するように、コントローラ３１を設定してもよい。
【０１２８】
コントローラ３１は、途中の用紙でない（すなわち最後の用紙）と判断すると（ステップＳ２０６においてＮＯ）、平綴じ処理の指定（設定）を解除することなく、ステップＳ２１１において、ディスプレイ３２２に警告表示を行う。ステップＳ２１２において、コントローラ３１は、当該用紙Ｐに対して転写処理および搬送処理を行なう。ステップＳ２１３において、コントローラ３１は、平綴じ処理部２５０に当該用紙Ｐを排出する。この場合、用紙束Ｂの全ての用紙Ｐが平綴じ処理部２５０に排出されたことを条件に、平綴じ処理部２５０において平綴じ処理が実行される。
【０１２９】
コントローラ３１は、用紙Ｐの坪量が閾値Ｔｈ２未満であると判断した場合（ステップＳ２０１においてＮＯ）、ステップＳ２１４において、坪量が閾値Ｔｈ２未満と判断された用紙Ｐに対して転写処理および搬送処理を行なう。コントローラ３１は、ステップＳ２１５において、平綴じ処理部２５０に当該用紙Ｐを排出する。この場合、用紙束Ｂの全ての用紙Ｐが平綴じ処理部２５０に排出されたことを条件に、平綴じ処理部２５０において平綴じ処理が実行される。
【０１３０】
なお、ステップＳ２０３、Ｓ２０８、Ｓ２１１では、コントローラ３１は、たとえば、「厚紙＃１」、「厚紙＃１＋」が含まれている旨をディスプレイ３２２に表示させる。
【０１３１】
以下、図７に基づいて説明した処理について小括する。
（１）コントローラ３１は、図５に基づき説明したように、坪量が閾値Ｔｈ１よりも大きいことを条件に、指定された後処理（平綴じ処理）が禁止されていると判断する。コントローラ３１は、坪量が閾値Ｔｈ１よりも小さいことを条件に、指定された後処理が禁止されていない（許可されている）と判断する。コントローラ３１は、坪量が、閾値Ｔｈ１よりも小さくかつ閾値Ｔｈ２よりも大きい場合と、閾値Ｔｈ２よりも小さい場合とで、異なる処理を後処理装置２０に実行させる。
【０１３２】
（２）コントローラ３１は、指定された後処理（平綴じ処理）が禁止されていないと判断した場合、坪量が閾値Ｔｈ１よりも小さくかつ閾値Ｔｈ２よりも大きいことを条件に、予め定められた警告をディスプレイ３２２に表示させる。
【０１３３】
（３）コントローラ３１は、指定された後処理（平綴じ処理）が禁止されていないと判断した場合、坪量が閾値Ｔｈ１よりも小さくかつ閾値Ｔｈ２よりも大きいと判断された用紙が用紙束Ｂの途中の用紙であるときには、後処理の指定を解除する。
【０１３４】
本例では平綴じ処理について着目して説明したが、これに限定する必要なく、その他の後処理（シフト、パンチ、中綴じ処理、折り処理）または複数の後処理の組み合わせにも適用できる。
【０１３５】
＜Ｆ．利点＞
画像形成システム１０００は、検出器１６を有し、検出器１６で検出した用紙Ｐの坪量、用紙束Ｂにおける用紙Ｐの位置、設定された印刷モードから、後処理、排出先、警告表示を選択的に切り替えることができる。
【０１３６】
図５に示した処理の例では、後処理の禁止の判断要因となった用紙Ｐが用紙束Ｂの最初の用紙（先頭用紙）であるため、用紙Ｐが含まれる用紙束Ｂの後続の用紙束Ｂには、禁止の判断要因となる用紙が含まれない可能性もある。この様な観点から、コントローラ３１は、後処理の設定は解除せずに、ジョブを継続する。これにより、ユーザが印刷モードの設定を再設定する煩わしさが解消される。
【０１３７】
図６に示したように、コントローラ３１は、坪量が閾値Ｔｈ１以上となった用紙が用紙束Ｂの途中の用紙である場合と、最後の用紙である場合とで異なる処理を実行させることができる。また、ユーザが動作モードＭ１，Ｍ２，Ｍ３のうちから所望する動作モードを選択しておくことにより、ユーザは、画像形成システム１０００に実行させる処理を異ならせることが可能となる。
【０１３８】
特に、コントローラ３１は、坪量が閾値Ｔｈ１以上となった用紙が用紙束Ｂの最後の用紙であった場合には、後処理の設定を禁止設定から許可設定に変更するため（ステップＳ１１４参照）、当該用紙Ｐを含む用紙束Ｂに対して後処理を実行できる。
【０１３９】
図７に示したように、コントローラ３１は、坪量が閾値Ｔｈ１以下であっても、閾値Ｔｈ２以上である場合には、閾値Ｔｈ１未満のときに実行される処理を異なる処理を、画像形成システム１０００に実行させることができる。コントローラ３１は、たとえば、厚紙＃１および厚紙＃１＋の場合と、薄紙および普通紙の場合とで異なる処理を後処理装置２０または画像形成装置１０に実行させることができる。
【０１４０】
＜Ｇ．変形例＞
（１）上記においては、コントローラ３１が、指定された後処理が禁止されていると判断した場合、禁止の判断要因となった用紙Ｐ（坪量が閾値Ｔｈ１以上の用紙）が用紙束Ｂ（一群の用紙）のうちの、最初の用紙、途中の用紙、および最後の用紙のいずれであるかを判断する構成を例に挙げて説明したが、これに限定されるものではない。たとえば、指定された後処理が禁止されていると判断した場合、禁止の判断要因となった用紙が用紙束Ｂのうちの最初の用紙と最後の用紙との間に位置する途中の用紙であるか否かを判断するように、コントローラ３１を構成してもよい。すなわち、途中の用紙か否かを判断するように、コントローラ３１を構成してもよい。
【０１４１】
（２）予め定められた動作モードが設定されていることを条件に、禁止の判断要因となった用紙が、用紙束Ｂにおける最初の用紙、最後の用紙、途中の用紙のいずれであるかを判断し、かつ当該判断結果に応じた処理を画像形成システム１０００に実行させるように、コントローラ３１を構成することが好ましい。
【０１４２】
（３）コントローラ３１を以下のように構成してもよい。コントローラ３１は、指定された後処理毎に、後処理を施すことを許容する用紙の最大枚数を記憶している。コントローラ３１は、指定された後処理が禁止されていないと判断した場合であっても、坪量が閾値Ｔｈ１よりも小さくかつ閾値Ｔｈ２よりも大きいときには、用紙束Ｂの枚数（一群の用紙の枚数）と、最大枚数とに基づいて、指定された後処理を実行するか否かを判断する。
【０１４３】
このように、各部に含まれる用紙Ｐの枚数に応じて、後処理の実行の有無を設定してもよい。なお、コントローラ３１は、典型的には、最大枚数を後処理装置２０に対応付けられた数値として予め記憶している。
【０１４４】
（４）指定された後処理が禁止されていると判断した場合、禁止の判断要因となった用紙Ｐに対して画像形成をせずに、後処理装置２０から排出するように、コントローラ３１を構成してもよい。
【０１４５】
（５）指定された後処理が禁止されていると判断した場合、後処理が実行不可能であることを、画像形成装置に報知させるように、コントローラ３１を構成してもよい。なお、当該報知は、ディスプレイに３２２における表示であってもよいし、画像形成装置１０に備えられている図示しないスピーカからの出力であってもよい。
【０１４６】
（６）指定された後処理が禁止されていないと判断した場合、坪量が閾値Ｔｈ１よりも小さくかつ閾値Ｔｈ２よりも大きいことを条件に、後処理の実行の要否を選択させるための入力（ユーザ操作に基づく入力）を受け付けるように、コントローラ３１を構成してもよい。
【０１４７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４８】
１０  画像形成装置、１１  画像形成部、１２  原稿読取部、１３  自動原稿搬送部、１４  給紙部、１５  搬送経路、１６  検出器、１７  反転搬送経路、１８  排紙ローラ、２０  後処理装置、３１  コントローラ、３２  操作パネル、１０１  中間転写ベルト、１０２，１０３，２１１  レジストローラ、１０４Ｙ  イエローの画像形成部、１０４Ｍ  マゼンタの画像形成部、１０４Ｃ  シアンの画像形成部、１０４Ｋ  ブラックの画像形成部、１０５  画像濃度センサ、１０６  感光体ドラム、１０７  帯電装置、１０８  露光装置、１０９  現像装置、１１０  クリーナ装置、１１１  １次転写装置、１１５  ２次転写装置、１２０  定着装置、１２１  加熱ローラ、１２２  加圧ローラ、１４１  給紙ローラ、１４２  給紙カセット、２００  本体部、２１２  中間ローラ、２１３  収容ローラ、２１４  メイントレイ排出ローラ、２１５  サブトレイ排出ローラ、２２０  パンチ装置、２５０  平綴じ処理部、２５１  平綴じステープラ、２５２  メイン処理用トレイ、２６０  中綴じ処理部、２６１  中綴じステープラ、２６２  折りローラ、２６３  サドル処理用トレイ、２７１  サブトレイ、２７２  メイントレイ、２７３  下部トレイ、２９０  水平搬送部、２９１  水平搬送ローラ、１０００  画像形成システム、Ｄ２１  禁則データ、Ｄ２２  処理内容規定データ、Ｐ  用紙。
【図１】
2019086730.tif 000003
【図２】
2019086730.tif 000004
【図３】
2019086730.tif 000005
【図４】
2019086730.tif 000006
【図５】
2019086730.tif 000007
【図６】
2019086730.tif 000008
【図７】
2019086730.tif 000009